(57)【特許請求の範囲】
【請求項１】
車両に係る情報を収集する車両情報収集装置であって、
前記車両に設置されている車両機器情報計測装置で計測された車両機器情報を、前記車両機器情報計測装置から周期的に取得する車両機器情報取得部と、
前記車両機器情報計測装置から周期的に取得される前記車両機器情報を格納したログデータを作成するログデータ作成部と、
前記ログデータ作成部で作成された前記ログデータを出力して所定の記録媒体に記録するログデータ出力部と、
前記車両の状態を示す車両状態情報を収集する車両状態情報収集装置から、前記車両状態情報を周期的に取得する車両状態情報取得部とを有し、
前記ログデータ作成部が、前記車両機器情報と共に、同一タイミングで前記車両状態情報収集装置から取得した前記車両状態情報を更に格納した前記ログデータを作成するよう構成されており、
前記ログデータ作成部は前記車両状態情報収集装置が接続されているか否かを判断し、前記車両状態情報収集装置が接続されている場合には前記車両機器情報と前記車両状態情報とを格納した前記ログデータを作成し、前記車両状態情報収集装置が接続されていない場合には前記車両機器情報を格納した前記ログデータを作成するよう構成されている車両情報収集装置。
【請求項２】
前記車両情報収集装置で実行されるプログラムをアップデートすることで、前記車両状態情報収集装置から新たな種類の車両状態情報を取得するための更新が行われる請求項１に記載の車両情報収集装置。
【請求項３】
前記車両情報収集装置で実行されるプログラムをアップデートすることで、前記車両機器情報計測装置から新たな種類の車両計測情報を取得するための更新が行われる請求項１又は２に記載の車両情報収集装置。
【請求項４】
所定のアップデートプログラム用通信装置から通信媒体を通じて前記プログラムを受信するためのプログラム通信モジュールと接続可能であり、前記所定のアップデートプログラム用通信装置に格納されている前記プログラムを前記プログラム通信モジュールを介して取得するよう構成されている請求項２又は３に記載の車両情報収集装置。
【請求項５】
所定のログデータ用通信装置へ通信媒体を通じて前記ログデータを送信するためのログデータ通信モジュールと接続可能であり、
前記ログデータ出力部が、前記所定の記録媒体に記録できない場合又は前記ログデータ通信モジュールが接続されている場合に、前記ログデータ通信モジュールを介して前記所定のログデータ用通信装置へ前記ログデータを送信するよう構成されている請求項１から４のいずれか１つに記載の車両情報収集装置。
【請求項６】
前記ログデータ作成部が、前記ログデータに格納された情報の時系列を示す時刻情報を前記ログデータに格納するよう構成されている請求項１から５のいずれか１つに記載の車両情報収集装置。
【請求項７】
車両に係る情報を収集する車両情報収集装置で実行される車両情報収集方法であって、
前記車両に設置されている車両機器情報計測装置で計測された車両機器情報を、前記車両機器情報計測装置から周期的に取得する車両機器情報取得ステップと、
前記車両機器情報計測装置から周期的に取得される前記車両機器情報を格納したログデータを作成するログデータ作成ステップと、
前記ログデータ作成ステップにおいて作成された前記ログデータを出力して所定の記録媒体に記録するログデータ出力ステップと、
前記車両の状態を示す車両状態情報を収集する車両状態情報収集装置から、前記車両状態情報を周期的に取得する車両状態情報取得ステップと、
前記車両状態情報収集装置が接続されているか否かを判断する接続判断ステップとを有し、
前記ログデータ作成ステップにおいて、前記車両機器情報と共に、同一タイミングで前記車両状態情報収集装置から取得した前記車両状態情報を更に格納した前記ログデータを作成し、
前記ログデータ作成ステップにおいて、前記車両状態情報収集装置が接続されている場合には前記車両機器情報と前記車両状態情報とを格納した前記ログデータを作成し、前記車両状態情報収集装置が接続されていない場合には前記車両機器情報を格納した前記ログデータを作成する車両情報収集方法。
【請求項８】
前記車両情報収集装置で実行されるプログラムをアップデートすることで、前記車両状態情報収集装置から新たな種類の車両状態情報を取得するための更新が行われる請求項７に記載の車両情報収集方法。
【請求項９】
前記車両情報収集装置で実行されるプログラムをアップデートすることで、前記車両機器情報計測装置から新たな種類の車両計測情報を取得するための更新が行われる請求項７又は８に記載の車両情報収集方法。
【請求項１０】
前記車両情報収集装置が、所定のアップデートプログラム用通信装置から通信媒体を通じて前記プログラムを受信するためのプログラム通信モジュールと接続可能であり、
前記所定のアップデートプログラム用通信装置に格納されている前記プログラムを前記プログラム通信モジュールを介して取得するプログラム取得ステップを有する請求項８又は９に記載の車両情報収集方法。
【請求項１１】
前記車両情報収集装置が、所定のログデータ用通信装置へ通信媒体を通じて前記ログデータを送信するためのログデータ通信モジュールと接続可能であり、
前記ログデータ出力ステップにおいて、前記所定の記録媒体に記録できない場合又は前記ログデータ通信モジュールが接続されている場合に、前記ログデータ通信モジュールを介して前記所定のログデータ用通信装置へ前記ログデータを送信する請求項７から１０のいずれか１つに記載の車両情報収集方法。
【請求項１２】
前記ログデータ作成ステップにおいて、前記ログデータに格納された情報の時系列を示す時刻情報を前記ログデータに格納する請求項７から１１のいずれか１つに記載の車両情報収集方法。
【発明の詳細な説明】
【技術分野】
【０００１】
本発明は、車両に係る情報を収集するための車両情報収集装置及び車両情報収集方法に関する。
【背景技術】
【０００２】
現在、車両内に設置された各車両機器は、コンピュータ（ＥＣＵ（Electric Control Unit））によって監視されている。車両機器に異常（故障や不具合など）が生じた場合には、ＥＣＵがその異常を検出して異常状態が起こったことを記録し、さらには、運転席のパネルに警告を表示して運転者に報知するなどの処理が行われる。異常が生じた場合には、運転者は、例えば、ディーラー（サービス店）に車両を持ち込み、ディーラーが診断装置を用いて、ＥＣＵに記録されている警告情報などを読み出すことで車両機器のチェックを行い、車両機器の不具合や故障などの検出並びに修理などの対応処置が行われる。また、例えば下記の特許文献１には、車両に設置された多数のＥＣＵを統合する統合通信ＥＣＵを車両に設置することで、各ＥＣＵが対応する様々なプロトコルを統合し、各ＥＣＵが取得したデータをリモートシステムサーバへ送信する技術が開示されている。
【先行技術文献】
【特許文献】
【０００３】
【特許文献１】特開２０１１−１２１４２５号公報（段落［００１１］）
【発明の概要】
【発明が解決しようとする課題】
【０００４】
しかしながら、各車種に設置されているＥＣＵの機能は様々であり、多くのＥＣＵは、対応する車両機器の異常を検出するために機器の計測を行うものの、異常状態が起こった場合のみログに記録するものである。診断装置でＥＣＵから情報を読み出した場合には異常状態が行っている機器やその症状は確認できるものの、その異常状態が起こった原因などを特定するのは容易ではない。また、複数の車両機器のそれぞれに対応する複数のＥＣＵで形成される車両内ネットワークは車両出荷時に固定設置されており、特許文献１に開示されているように新たな統合通信ＥＣＵの設置などを行うことも容易ではない。
【０００５】
本発明は、上記の問題点に鑑み、車両に係る情報を収集するための車両情報収集装置及び車両情報収集方法であって、既存及び将来の様々な車両に対応可能な拡張性の高いハードウェア構成を提供することを目的とする。
【課題を解決するための手段】
【０００６】
上記の目的を達成するため、本発明によれば、車両に係る情報を収集する車両情報収集装置であって、
前記車両に設置されている車両機器情報計測装置で計測された車両機器情報を、前記車両機器情報計測装置から周期的に取得する車両機器情報取得部と、
前記車両機器情報計測装置から周期的に取得される前記車両機器情報を格納したログデータを作成するログデータ作成部と、
前記ログデータ作成部で作成された前記ログデータを出力して所定の記録媒体に記録するログデータ出力部と、
前記車両の状態を示す車両状態情報を収集する車両状態情報収集装置から、前記車両状態情報を周期的に取得する車両状態情報取得部とを有し、
前記ログデータ作成部が、前記車両機器情報と共に、同一タイミングで前記車両状態情報収集装置から取得した前記車両状態情報を更に格納した前記ログデータを作成するよう構成されており、
前記ログデータ作成部は前記車両状態情報収集装置が接続されているか否かを判断し、前記車両状態情報収集装置が接続されている場合には前記車両機器情報と前記車両状態情報とを格納した前記ログデータを作成し、前記車両状態情報収集装置が接続されていない場合には前記車両機器情報を格納した前記ログデータを作成するよう構成されている車両情報収集装置が提供される。
【０００７】
また、上記の目的を達成するため、本発明によれば、車両に係る情報を収集する車両情報収集装置で実行される車両情報収集方法であって、
前記車両に設置されている車両機器情報計測装置で計測された車両機器情報を、前記車両機器情報計測装置から周期的に取得する車両機器情報取得ステップと、
前記車両機器情報計測装置から周期的に取得される前記車両機器情報を格納したログデータを作成するログデータ作成ステップと、
前記ログデータ作成ステップにおいて作成された前記ログデータを出力して所定の記録媒体に記録するログデータ出力ステップと、
前記車両の状態を示す車両状態情報を収集する車両状態情報収集装置から、前記車両状態情報を周期的に取得する車両状態情報取得ステップと、
前記車両状態情報収集装置が接続されているか否かを判断する接続判断ステップとを有し、
前記ログデータ作成ステップにおいて、前記車両機器情報と共に、同一タイミングで前記車両状態情報収集装置から取得した前記車両状態情報を更に格納した前記ログデータを作成し、
前記ログデータ作成ステップにおいて、前記車両状態情報収集装置が接続されている場合には前記車両機器情報と前記車両状態情報とを格納した前記ログデータを作成し、前記車両状態情報収集装置が接続されていない場合には前記車両機器情報を格納した前記ログデータを作成する車両情報収集方法が提供される。
【０００８】
なお、本発明は、コンピュータにプログラムを実行させることによって車両情報収集装置及び車両情報収集方法を実現することが可能であり、上記プログラムを提供することも可能である。
【発明の効果】
【０００９】
本発明は、既存及び将来の様々な車両に対応可能な拡張性の高いハードウェア構成を有する車両情報収集装置を提供できるという効果を有する。
【図面の簡単な説明】
【００１０】
【図１】本発明の実施の形態における車両情報収集装置を含む車両内システムの構成の一例を示す図である。
【図２】本発明の実施の形態における車両情報収集装置４００の動作の一例を示すフローチャートである。
【図３】本発明の実施の形態における車両情報収集装置が、各装置の接続状態を判断して情報記録方法や情報出力先を選択的に決定する動作の一例を示すフローチャートである。
【発明を実施するための形態】
【００１１】
以下、図面を参照しながら、本発明の実施の形態について説明する。
【００１２】
図１は、本発明の実施の形態における車両情報収集装置を含む車両内システムの構成の一例を示す図である。図１には、車両機器情報計測装置１００、インタプリタモジュール２００、車両状態情報収集装置３００、車両情報収集装置４００、記録媒体５００、通信モジュール６００によって構成された車両内システムが図示されている。
【００１３】
現在の車両には多数のＥＣＵが搭載されている。各ＥＣＵは、車両内の各機器を電気的に制御し、各機器の状態の診断を行うための情報を計測したり、あるいは、これらの計測結果に基づく診断を行って、その診断結果を記録したりする機能を有している。なお、ＥＣＵによって計測及び診断される情報の種類は多数存在し、例えば、エンジン、燃料、ハンドル、ペダル、エアコンなどを始めとする様々な車両内機器に関する情報（例えば、エンジン回転数、燃料噴射量、冷却水の水温などの各種情報）を監視することが可能である。ただし、車両の車種や年代などによって搭載されているＥＣＵの機能は様々であり、最小限又は限られた機能を有するＥＣＵしか搭載されていない車両が多数存在するのが現状である。
【００１４】
また、ＥＣＵによる監視結果は、車両に設置されたＯＢＤ（On-Board Diagnostic System）IIコネクタから出力可能であり、例えば、ＯＢＤIIコネクタに接続し、近距離無線通信を介して情報を送信するインタプリタモジュールも市販されている。図１に図示されている車両機器情報計測装置１００は上記のＥＣＵ（あるいは、ＥＣＵが接続された車両内ネットワーク）を表しており、また、インタプリタモジュール２００は上記の市販インタプリタモジュールを表している。なお、車両機器情報計測装置１００で計測され、インタプリタモジュール２００を通じて出力される情報を車両機器情報と呼ぶことにする。
【００１５】
また、車両状態情報収集装置３００は、車両情報収集装置４００と通信を行う通信インタフェース３０５に加えて、ＧＰＳ信号（現在時刻情報を含むＧＰＳ情報）から車両の現在位置情報を取得できるＧＰＳユニット３１０、車両の挙動を計測して車両挙動情報を取得する３Ｄジャイロ３２０、車両の速度（車速情報）を取得する車速取得部３３０、ギア情報（ギアがバックに設定されたことを示すバック信号や、パーキングに設定されたことを示すパーキング信号など）を取得するギア情報取得部３４０などを有している。車速情報やギア情報は、例えば、車両に設けられた所定の配線を車両状態情報収集装置３００に接続することで取得可能である。なお、車両状態情報収集装置３００で収集される情報を車両状態情報と呼ぶことにする。車両状態情報収集装置３００で収集される車両状態情報は、上記の現在位置情報、車両挙動情報、車速情報、ギア情報に限定されるものではない。
【００１６】
また、車両情報収集装置４００は、車両機器情報計測装置１００と接続可能な車両機器情報インタフェース４１０、車両状態情報収集装置３００と接続可能な車両状態情報インタフェース４２０、車両機器情報計測装置１００で計測された車両機器情報と車両状態情報収集装置３００で収集された車両状態情報とに基づいて、ログデータを作成するログデータ作成部４３０、ログデータ作成部４３０で作成されたログデータを記録媒体５００に書き込むか、あるいは、通信モジュール６００を介してネットワークストレージなどの所定の通信装置（不図示）へ送信するログデータ出力部４４０を有している。なお、この車両情報収集装置４００は、例えば、本発明に関連する動作を規定したプログラムの実行が可能なコンピュータによって実現されてもよい。また、車両情報収集装置４００は、ログデータの作成機能及び出力機能に特化した装置であり、ＨＭＩ（Human Machine Interface）などの操作系やディスプレイなどの表示装置を有していないという特徴を有する。これにより、車両情報収集装置４００のログデータ作成及び出力装置としての寿命が延び、また、システム全体の拡張性が向上される。
【００１７】
車両機器情報インタフェース４１０は、例えば近距離無線通信を介してインタプリタモジュール２００と通信を行うことで車両機器情報計測装置１００と接続可能な無線通信インタフェースであり、車両状態情報インタフェース４２０は、例えばＵＳＢケーブルなどを通じて車両状態情報収集装置３００の通信インタフェース３０５と接続可能なＵＳＢインタフェースである。なお、ここでは、車両情報収集装置４００は、車両機器情報計測装置１００との接続に無線通信技術を用いており、車両状態情報収集装置３００との接続に有線通信技術を用いているが、利用される通信技術は上記に限定されるものではない。車両情報収集装置４００は、車両機器情報計測装置１００で計測された車両機器情報を車両機器情報インタフェース４１０を介して受信し、車両状態情報収集装置３００で収集された車両状態情報を車両状態情報インタフェース４２０を介して受信する。
【００１８】
また、ログデータ作成部４３０は、車両機器情報計測装置１００で計測された車両機器情報と車両状態情報収集装置３００で収集された車両状態情報とに基づいて、これらの情報の履歴（ログデータ）を作成し、いったん車両情報収集装置４００内のメモリに格納する機能を有している。このとき、ログデータ作成部４３０は、車両機器情報と車両状態情報とを同期させたログデータを作成することが望ましい。例えば、ログデータ作成部４３０は、同一タイミング（なお、ここで言う同一タイミングは一定の時間差を許容するものである）で受信した車両機器情報及び車両状態情報を関連付けて、ログデータとして記録してもよい。より具体的には、ログデータ作成部４３０は、例えば、同一タイミングで取得した車両機器情報及び車両状態情報を同一の行番号に記載しながら、ログデータを更新していく処理を行ってもよい。また、車両機器情報及び車両状態情報を関連付ける際に、更に時刻情報を関連付けてログデータとして記録することが望ましい。時刻情報は、ログデータが作成された際の時刻であってもよく、あるいは、車両機器情報又は車両状態情報が取得された時刻であってもよい。また、時刻情報は、車両情報収集装置４００が有する計時部（不図示）から出力される時刻であってもよく、あるいは、車両状態情報にＧＰＳ情報が含まれる場合には、そのＧＰＳ情報から抽出された時刻であってもよい。
【００１９】
また、ログデータ出力部４４０は、ログデータ作成部４３０で作成されていったん車両情報収集装置４００内のメモリに格納されたログデータを記録媒体５００に書き込むか、あるいは、通信モジュール６００を介して所定の通信装置（不図示）へ送信する機能を有している。ログデータ出力部４４０は、記録媒体５００及び通信モジュール６００の両方へログデータを出力してもよく、あるいは、記録媒体５００や通信モジュール６００の状態に応じて、出力先を選択してもよい。例えば、車両情報収集装置４００に記録媒体５００が装着されている場合にはログデータを記録媒体５００へ書き込み、記録媒体５００が装着されていない場合にはログデータを通信モジュール６００を介して送信してもよい。また、記録媒体５００へのログデータの記録（例えば１秒ごとに記録）、通信モジュール６００を介したログデータの送信（例えば１分ごとに送信）に関しては、周期的に行われることが望ましく、また、ユーザが適宜これらの周期を設定できるようにしてもよい。
【００２０】
また、記録媒体５００はログデータを格納できるメモリであり、特に、不揮発性メモリを用いることが望ましい。また、通信モジュール６００は、車両情報収集装置４００以外の別の装置へログデータを送信する機能を有しており、無線通信を介してネットワーク（例えば、インターネット）上のサーバへログデータを送信できることが望ましい。
【００２１】
なお、本発明は、必要最小限の構成として、インタプリタモジュール２００と車両情報収集装置４００、記録媒体５００を用意し、車両情報収集装置４００が、車両機器情報計測装置１００が設置された車両からインタプリタモジュール２００を介して車両機器情報を常時取得して、記録媒体５００にリアルタイムで記録するシステムを提供する。これにより、車両機器の状態を継続して記録することが可能となり、その履歴からどの時点で（時系列データのどのデータ以降において）車両機器に不具合が生じたかなどを判断することが可能となる。また、時刻情報と関連付けて車両機器情報をログデータとして記録することにより、このログデータから、いつ（どの時刻で）車両機器に不具合が生じたかなどを判断することが可能となる。
【００２２】
また、本発明では、当該システムを拡張するオプションとして通信モジュール６００を取り扱えるようにしている。すなわち、上述した必要最小限の構成に対して、さらに必要に応じて通信モジュール６００を設置して車両情報収集装置４００へ接続することで、通信モジュール６００を介してリアルタイムで所定の通信装置（不図示）へ送信することが可能となる。
【００２３】
さらに、本発明では、当該システムを拡張するオプションとして車両状態情報収集装置３００を取り扱えるようにしている。すなわち、上述した必要最小限の構成に対して、さらに必要に応じて車両状態情報収集装置３００を設置して車両情報収集装置４００へ接続することで、車両状態情報収集装置３００から出力される車両機器情報と車両状態情報とを関連付けたログデータをリアルタイムで記録又は送信することが可能となり、このログデータから、どのような車両状態（どの地点又はどのような車両挙動など）の際に車両機器に不具合が生じたかなどを判断することが可能となる。
【００２４】
次に、図２を参照しながら、本発明の実施の形態における車両情報収集装置４００の動作の一例について説明する。図２は、本発明の実施の形態における車両情報収集装置４００の動作の一例を示すフローチャートである。
【００２５】
車両情報収集装置４００は、車両内の電源から電力を受け、ＡＣＣ−ＯＮ（アクセサリ電源オン）の際に起動する（ステップＳ１００１）。また、車両情報収集装置４００は、システムの各装置の接続状態などから、情報記録方法や情報出力先などを決定する（ステップＳ１００３）（後述の図３を参照）。以下、図２では、車両機器情報計測装置１００及び車両状態情報収集装置３００の両方が、車両情報収集装置４００に接続されているものとして説明する。ＡＣＣ−ＯＮと同時に車両内システムの各装置にも電力が供給され、車両機器情報計測装置１００、インタプリタモジュール２００、車両状態情報収集装置３００、通信モジュール６００などの各装置も起動する。
【００２６】
車両機器情報計測装置１００や車両状態情報収集装置３００は起動と同時に、対応する情報収集や記録を開始し、車両情報収集装置４００は、車両機器情報計測装置１００及び車両状態情報収集装置３００のそれぞれから、車両機器情報及び車両状態情報の受信（収集）を開始する（ステップＳ１００５、Ｓ１００７）。そして、車両情報収集装置４００は、ステップＳ１００５で計測した車両機器情報と、ステップＳ１００７で収集した車両状態情報とを関連付け、ログデータの作成タイミングに従って（ステップＳ１００８）これらの情報を含むログデータを作成し（ステップＳ１００９）、作成したログデータを出力することで（ステップＳ１０１１）、記録媒体５００に記録したり、通信モジュール６００を介して所定の通信装置（不図示）へ送信したりする。
【００２７】
ステップＳ１００５〜ステップＳ１０１１の一連の処理（車両情報収集装置４００における車両機器情報及び車両状態情報の受信及びログデータの作成／出力）は、ＡＣＣ−ＯＦＦ（アクセサリ電源オフ）となるまで繰り返される（ステップＳ１０１３）。なお、ステップＳ１００５における車両機器情報計測装置１００からの車両機器情報の収集と、ステップＳ１００５における車両状態情報収集装置３００からの車両状態情報の収集とはそれぞれ独立した並列処理であり、車両情報収集装置４００は、車両機器情報計測装置１００及び車両状態情報収集装置３００のそれぞれから、異なる情報収集方法で各情報を収集（例えば、異なる周期で情報を取得）してもよい。
【００２８】
上述のフローチャートによれば、ステップＳ１００５からステップＳ１０１３のループによって、車両情報収集装置４００は車両機器情報及び車両状態情報を収集することが可能であるが、このループの周期は、例えば、所定の周期（例えば３００ｍｓ（ミリ秒））に設定可能である。これにより、車両機器情報の受信（ステップＳ１００５）や車両状態情報の受信（ステップＳ１００７）が上記所定の周期によって実行される。なお、ここでは説明を明瞭にするため、車両機器情報及び車両状態情報が同一周期で受信されるよう説明されているが、車両機器情報の受信（ステップＳ１００５）や車両状態情報の受信（ステップＳ１００７）の周期（ループ）は、それぞれ異なっていてもよい。さらに、ログデータの作成タイミング（ステップＳ１００８）は、車両機器情報や車両状態情報の受信周期とは異なる周期（例えば１分又は１０分など）に設定することが可能である。
【００２９】
また、上述したように、本発明に係る必要最小限の構成として、車両機器情報計測装置１００からインタプリタモジュール２００を介して車両機器情報を常時取得し、記録媒体５００にリアルタイムで記録する場合には、ステップＳ１００７における車両状態情報の受信は省略される。
【００３０】
また、本発明の実施の形態における車両情報収集装置４００は、各装置の接続状態（システムの拡張）を判断して情報記録方法や情報出力先を選択的に決定することも可能である。図３は、本発明の実施の形態における車両情報収集装置が、各装置の接続状態を判断して情報記録方法や情報出力先を選択的に決定する動作の一例を示すフローチャートである。なお、この図３に図示されている動作は、例えば、上述の図２のステップＳ１００３における情報記録方法及び情報出力先の決定に係る動作である。
【００３１】
図３において、車両情報収集装置４００は、車両機器情報計測装置１００に加えて、システムのオプションである車両状態情報収集装置３００が接続されているか否かを判断する（ステップＳ２００１）。車両状態情報収集装置３００が接続されている場合には、車両情報収集装置４００は、車両機器情報計測装置１００からの車両機器情報と、車両状態情報収集装置３００からの車両状態情報との両方に基づくログデータを作成することを決定する（ステップＳ２００３）。一方、車両状態情報収集装置３００が接続されていない場合には、車両情報収集装置４００は、車両機器情報計測装置１００からの車両機器情報に基づくログデータを作成することを決定する（ステップＳ２００５）。
【００３２】
また、車両情報収集装置４００は、記録媒体５００が装着されているか否かを判断する（ステップＳ２００７）。記録媒体５００が装着されている場合には、車両情報収集装置４００は、ログデータを記録媒体５００に記録することを決定する（ステップＳ２００９）。一方、記録媒体５００が装着されていない場合には、車両情報収集装置４００は、ログデータを通信モジュール６００を介して所定の通信装置（不図示）へ送信することを決定する（ステップＳ２０１１）。なお、例えば、ステップＳ２００７において通信モジュール６００が接続されているか否かを判断し、通信モジュール６００が接続されている場合には通信モジュール６００を介してログデータを送信し、通信モジュール６００が接続されていない場合には記録媒体５００にログデータを記録するなどとしてもよい。また、通信モジュール６００のオンライン／オフラインの状態に応じて、記録媒体５００にログデータを記録するか、通信モジュール６００を介して所定の通信装置（不図示）へ送信するかを決定してもよい。
【００３３】
本発明の実施の形態で記録されたログデータは様々な用途に利用可能である。例えば、時系列の車両機器情報のログデータのうち、アクセルペダルの踏み込み角度（踏み込み量）のデータのゆらぎ解析を行うことによって、運転者の運転状態（漫然運転や居眠り運転など）を特定したり、運転者の運転能力（運転技能）の判定を行ったりすることが可能である。なお、同時に、車両状態情報も取得できている場合には、例えば漫然運転が起こった時間帯又は運転能力が劣化した運転者の緊張状態が起こった時間帯の走行位置（走行ルート）や、車両の挙動などを正確に解析することが可能となる。
【００３４】
また、時系列の車両機器情報のログデータのうちアクセルペダルの踏み込み角度（踏み込み量）を用いて、燃費の計算を行うことも可能である。なお、この場合も、車両状態情報などから検出される車速や、走行位置（走行ルート）、車両の挙動などを正確に解析し、正確な燃費計算や燃費の節約条件などを解析することが可能となる。
【００３５】
なお、車両機器情報からアクセルペダルの踏み込み角度（踏み込み量）が取得できない場合であっても、アクセルペダルの踏み込み角度（踏み込み量）に依存しているとみなすことのできるインテークマニホールドの吸入弁の開き具合（スロットル開度）などを用いて、アクセルペダルの踏み込み角度（踏み込み量）と同様の情報を取得することが可能である。
【００３６】
また、車両情報収集装置４００が通信モジュール６００を介してログデータを送信する場合の好適な方法として、車両情報収集装置４００は、ログデータをオンラインストレージに蓄積することが可能である。これにより、ログデータを解析する管理者は、オンラインストレージに蓄積されているログデータをログデータ解析装置にいったん取り込んでから、ログデータの解析を行うことが可能となる。
【００３７】
上述のように、車両情報収集装置４００は、車両状態情報収集装置３００の接続の有無（すなわち、車両状態情報収集装置３００のハードウェアの有無）などによって柔軟に対応し、適切なログデータを作成することが可能であるだけでなく、車両機器情報計測装置１００の情報の種類（ＥＣＵがどのような機能を有しているか）や、車両状態情報収集装置３００から受信する車両状態情報の種類（車両状態情報収集装置３００を構成するハードウェアがどのような機能を有しているか）などに応じても、適切なログデータを作成することが可能である。すなわち、ＯＢＤIIコネクタから取得できるパラメータが新たに追加されたり、車両状態情報収集装置３００を構成するハードウェアが新たに付け足されたりした場合には、車両情報収集装置４００の機能もこれらの変化に対応する必要があるが、この場合、車両情報収集装置４００の内部プログラムをアップデートすることで、車両情報収集装置４００が適切なログデータを作成できる新たな環境を構築することが可能である。
【００３８】
車両情報収集装置４００が車両機器情報計測装置１００や車両状態情報収集装置３００から情報を適切に取得するためのプログラムをアップデートする場合、例えば、車両情報収集装置４００にアップデート用プログラムを格納した記録媒体を直接装着してもよく、あるいは、プログラム管理者がアップデート用プログラムをネットワークストレージなどに格納し、車両情報収集装置４００が通信モジュール６００を介してアップデート用プログラムを取得してもよい。ネットワークストレージにアップデート用プログラムを格納する場合、例えば、各車種に対応したアップデート用プログラムが各車種に対応したネットワークストレージに格納され、車両情報収集装置４００は、当該装置が設置された車種に対応したネットワークストレージからアップデート用プログラムを取得してもよい。
【産業上の利用可能性】
【００３９】
本発明は、既存及び将来の様々な車両に対応可能な拡張性の高いハードウェア構成を有する車両情報収集装置を提供できるという効果を有し、車両に係る情報を収集するための技術に適用可能である。
【符号の説明】
【００４０】
１００  車両機器情報計測装置
２００  インタプリタモジュール
３００  車両状態情報収集装置
３０５  通信インタフェース
３１０  ＧＰＳユニット
３２０  ３Ｄジャイロ
３３０  車速取得部
３４０  ギア情報取得部
４００  車両情報収集装置
４１０  車両機器情報インタフェース
４２０  車両状態情報インタフェース
４３０  ログデータ作成部
４４０  ログデータ出力部
５００  記録媒体
６００  通信モジュール
【図１】
0005540037.tif 000002
【図２】
0005540037.tif 000003
【図３】
0005540037.tif 000004